(57)【要約】【課題】  器具本体内への平面ランプやその他部品の配置を効率よく行って輝度ムラの発生を抑制しつつ高い照度を確保すると共にコンパクト化を図り得る照明器具を提供する。【解決手段】  接続用の口金３１を両管端部に備えた発光管３０が平面内で渦巻き状にされた平面ランプ６ａと、この平面ランプ６ａを内部に収容して天井裏２に配置される器具本体４と、天井開口３ａに臨ませた器具本体４の下面開口４ａに装着するカバー体５と、平面ランプ６ａの外周端部に配置した各口金３１に接続させるための一対のランプソケット２０とを備えた照明器具１である。前記ランプソケット２０を器具本体４の内周面に沿わせて配設する。カバー体５を器具本体４に取り付けるためのカバー取付部１１を、平面視で器具本体４の内周面における上記ランプソケット２０から周方向にずらした部位に配設する。【選択図】図１
2008204738.tif 000002
【特許請求の範囲】
【請求項１】
接続用の口金を両管端部に備えた発光管が平面内で渦巻き状にされた平面ランプと、この平面ランプを内部に収容して天井裏に配置される器具本体と、天井開口に臨ませた器具本体の下面開口に装着するカバー体と、平面ランプの外周端部に配置した各口金に接続させるための一対のランプソケットとを備えた照明器具であって、前記ランプソケットを器具本体の内周面に沿わせて配設し、カバー体を器具本体に取り付けるためのカバー取付部を、平面視で器具本体の内周面における上記ランプソケットから周方向にずらした部位に配設したことを特徴とする照明器具。
【請求項２】
一部が器具本体内に突出すると共に器具本体を天井材に取り付けるための本体取付部を、平面視で器具本体の内周面におけるランプソケットやカバー取付部から周方向にずらした部位に配設したことを特徴とする請求項１記載の照明器具。
【発明の詳細な説明】
【技術分野】
【０００１】
本発明は、照明器具に関するものである。
【背景技術】
【０００２】
従来から、図７のような天井裏２に配置した円筒状の器具本体４内にランプ６を収納して成る天井埋込型の照明器具１が知られている。ここで、この照明器具１におけるランプ６としては直棒状の発光管３０の一端に接続用の口金３１が設けられた片口金ランプ６ｂが用いられ、この片口金ランプ６ｂが器具本体４の内周面から内方に突出した状態で器具本体４内の空間であるランプ配設部２１に収容されている。したがって、図７（ｂ）のようにランプ配設部２１における片口金ランプ６ｂの側方部位が空隙部位Ｋとなり、片口金ランプ６ｂを発光させた際には輝度ムラが生じてしまうという問題がある。更に言うと、片口金ランプ６ｂではランプ配設部２１の面積の一部を利用して発光管３０を配設しているため、効率よく高い照度を得ることもできない。
【０００３】
ところで近年では、図８のように小面積で高い照度を得ることのできる平面ランプ６ａが開発されており（たとえば特許文献１参照）、この平面ランプ６ａを片口金ランプ６ｂに代えて照明器具１に用いることも考えられる。これによると、ランプ配設部２１の面積の大部分を利用して発光管３０を配設できて効率よく高い照度を得ることができるのは勿論、ランプ配設部２１に上記空隙部位Ｋの発生も抑制することができて輝度ムラの発生も抑制できる。
【０００４】
しかしながら、図８の平面ランプ６ａの接続用の口金３１（接続端子部分）は平面ランプ６ａの上方に突設されており、これをそのまま上記照明器具１に適用した場合には、口金３１に接続するためのランプソケット２０を口金３１に上方に重なるように器具本体４内に配置しなければならず、その結果、器具本体４の高さ寸法が長くなって、高さ代の小さい天井裏２には器具本体４を配置することができなくなる恐れが生じる。
【０００５】
更に言うと、器具本体４の下面開口４ａには透光性を有するカバー体５を備えることもあるが、この場合には器具本体４内にはカバー体５を器具本体４に取り付けるためのカバー取付部１１を設ける必要が生じる。図７の照明器具１では、カバー取付部１１は上記ランプ配設部２１の空隙部位Ｋにスペース的な余裕をもって配設することができるが、特許文献１の平面ランプ６ａを片口金ランプ６ｂに代えて照明器具１に用いる場合には、ランプ配設部２１の空隙部位Ｋが略無くなるため、カバー取付部１１の配置スペースの確保も問題となり、たとえば器具本体４内のランプ６の側外方にカバー取付部１１を配設する場合には器具本体４の径を大きくして対処する必要も生じるため、照明器具１が大型化するという恐れが生じる。
【０００６】
すなわち、平面ランプ６ａを天井埋込型の照明器具１に適用するのは、上述のように照明器具１が大型化するという問題が発生するため、行われていないのが現状である。
【特許文献１】特開平１０−２０８８８９号公報
【発明の開示】
【発明が解決しようとする課題】
【０００７】
本発明は上記の点に鑑みてなされたものであり、その目的とするところは、器具本体内への平面ランプやその他部品の配置を効率よく行って輝度ムラの発生を抑制しつつ高い照度を確保すると共にコンパクト化を図り得る照明器具を提供することを課題とするものである。
【課題を解決するための手段】
【０００８】
上記課題を解決するために請求項１に係る照明器具にあっては、接続用の口金３１を両管端部に備えた発光管３０が平面内で渦巻き状にされた平面ランプ６ａと、この平面ランプ６ａを内部に収容して天井裏２に配置される器具本体４と、天井開口３ａに臨ませた器具本体４の下面開口４ａに装着するカバー体５と、平面ランプ６ａの外周端部に配置した各口金３１に接続させるための一対のランプソケット２０とを備えた照明器具１であって、前記ランプソケット２０を器具本体４の内周面に沿わせて配設し、カバー体５を器具本体４に取り付けるためのカバー取付部１１を、平面視で器具本体４の内周面における上記ランプソケット２０から周方向にずらした部位に配設したことを特徴とする。器具本体４内に配置した平面ランプ６ａによると省スペースで照明器具１に高い照度を確保することができる。また、平面ランプ６ａの口金３１やランプソケット２０は、平面ランプ６ａの面（平面）内にそれぞれ位置して接続されるのであるから、器具本体４の高さ寸法を抑制できるのであり、また、カバー取付部１１は平面視で器具本体４の内周面におけるランプソケット２０から周方向にずらした部位に配設されるので、カバー取付部１１を器具本体４内の平面面積を有効に利用するように効率よく配設することができるのであって、器具本体４の外径寸法も抑制できる。したがって、照明器具１をコンパクト化できるのである。
【０００９】
また、請求項２に係る照明器具にあっては、請求項１において、一部が器具本体４内に突出すると共に器具本体４を天井材３に取り付けるための本体取付部１０を、平面視で器具本体４の内周面におけるランプソケット２０やカバー取付部１１から周方向にずらした部位に配設したことを特徴とする。これによると、カバー取付部１１も器具本体４内の平面面積を有効に利用するように効率よく配設することができるのであって、器具本体４の外径寸法の抑制を図って、照明器具１のコンパクト化を確保できる。
【発明の効果】
【００１０】
本発明にあっては、照明器具の器具本体内への平面ランプやその他部品の配置を効率よく行って、輝度ムラの発生を抑制しつつ高い照度を確保すると共に、照明器具のコンパクト化を図ることができる、という利点を有する。
【発明を実施するための最良の形態】
【００１１】
以下、本発明を添付図面に示す実施形態に基いて説明する。
【００１２】
図１乃至図５に示す本例の照明器具１は、下面開口４ａを天井開口３ａに臨ませて天井裏２に配置した器具本体４の内部にランプ６を収容して成る天井埋設型照明器具（ダウンライト）と称するものであり、図２（ａ）や図３のように、円筒状に形成されて天井材３に取り付ける器具本体４、点灯装置１５ａなどの機器１５が装着されると共にその一部が器具本体４の天面を構成する天板セット７、器具本体４の下面開口４ａを閉塞するように装着するカバー体５を有している。なお、器具本体４の内部に収容状態に配設されるランプ６には後に詳述するように平面ランプ６ａが用いられている。
【００１３】
器具本体４は下面開口４ａを有した有底筒状に形成されており、下面開口４ａの縁部には側外方へ突出するフランジ部８が形成されており、有底筒状の底面となる器具本体４の天面部４ｂには切欠孔状の挿通孔９（図６参照）が穿設されており、有底筒状の側面となる器具本体４の周面部４ｃには器具本体４を天井材３に取り付けるための本体取付部１０や、カバー体５を器具本体４に取り付けるためのカバー取付部１１が設けられている。ここで、本体取付部１０は、図２（ｂ）のように、器具本体４に枢支されて周面部４ｃの内外に突出可能にされる枢支脚１０ａを有して構成されている。なお、本例の本体取付部１０は器具本体４の側面の対向位置に一対設けられているが、その設置数は任意でかまわない。また、カバー取付部１１はカバー体５の取付用バネ材２４を係止する一対の係止爪１１ａを有して構成されている。
【００１４】
天板セット７は主体となる基板１２を有し、この基板１２は、挿通孔９を塞いで器具本体４の天面部４ｂにビス等の固定具４２（図６参照）で固定する本体天板部１３と、安定器等を備えてランプ６を点灯させる点灯装置１５ａや外部電源に接続して電気を取り込む電源接続部１５ｂなどの機器１５を吊持する機器取付板部１４とで構成されている。機器取付板部１４の一端は本体天板部１３の一端に上下に回動自在に枢支されており（図中１２ａが枢支部）、機器取付板部１４の他端には天井材３に載せるように接地させる接地脚１６が形成されている。本体天板部１３にはランプ吊持部材１７が垂設されている。ランプ吊持部材１７は一対の脚部１８の下端に架設した吊架板部１９を有し、吊架板部１９の下面の両端部には平面ランプ６ａの一対の口金３１を接続させる一対のランプソケット２０が取り付けられている。つまり吊架板部１９の下方部位が平面ランプ６ａを着脱自在に取付けるランプ配設部２１となっている。なお、本例では点灯装置１５ａ側に近接して位置するランプソケット２０が高圧側のソケットとされている。
【００１５】
カバー体５は、円盤状の透光パネル２２の外縁を環状の周枠２３に対してパッキン（図示せず）を介して取り付けることで形成されている。透光パネル２２はランプ６からの照明光を直接透過させないようにした半乳白状の板でありその表面にはつや消し処理が施されている。これにより照明装置を室内から見る人が眩しさを感じないようにされている。周枠２３には一対の取付用バネ材２４が上方に突出可能に取り付けられ、また周枠２３の内径縁部に亙って上方に突出する反射板２８が突設されている。この反射板２８はランプ６からの照明光を拡散させて透光パネル２２を均一に光らせるためのものである。なお、周枠２３の内径は後述の平面ランプ６ａの最大外径と同程度の径に形成されており、周枠２３の内径部内の透光パネル２２の露出部位（透光面）が平面ランプ６ａの最大外径と略同程度になるようにされている。
【００１６】
このカバー体５を器具本体４の下面開口４ａを塞ぐように取り付けた際には、器具本体４の係止爪１１ａに取付用バネ材２４を係止させた際に上方への付勢力を発生させることで、周枠２３の上面を器具本体４のフランジ部８の下面に隙間無く弾接させ、照明器具１内への虫等の侵入が防止できるようにされる。本例の取付用バネ材２４はループ状の無端線部２９を周枠２３から突設したような略Ω形状のバネ材によって構成されている。取付用バネ材２４はその上端部に取付用バネ材２４を下方から一対の係止爪１１ａ間にスムーズに挿入して係止させ得る山形状のガイド部２９が形成されており、カバー体５の器具本体４への取付作業の容易化が図られている。本例では、取付用バネ材２４は周枠２３の対向位置に一対設けられており、これを係止するカバー取付部１１も器具本体４の内周面（周面部４ｃの内周部分）の対向位置に一対設けられている。
【００１７】
本例のランプ６に用いられる平面ランプ６ａは、図４に示すように全体形状が略円盤状となるように平面視二重渦巻状に形成した発光管３０と、発光管３０の長さ方向の両端部に設けた口金３１を備えた蛍光ランプ３２からなり、各口金３１を対応するランプソケット２０に電気的に接続することでランプソケット２０を介して点灯装置１５ａに電気的に接続される。
【００１８】
発光管３０は平面内で長さ方向の中間部を中心にして長さ方向の両側部分を同一方向の渦巻状に巻回することで二重渦巻状に形成したものであり、このように発光管３０を薄型の平面状で且つ二重渦巻状に形成することで、平面視で中央部を含めた面全体が平面状に面発光する平面ランプ６ａを構成することができ、従来の棒状の発光管３０を有する片口金ランプ６ｂと比較して小形で且つ高い出力照度を確保したランプ６とすることができる。また上記二重渦巻の中心となる発光管３０の長さ方向の中間部は他部よりも太く形成してあり、その一部が平面ランプ６ａの片面側に突出している。この突出部分３０ａは発光管３０の最冷点となるもので、これにより平面ランプ６ａの安定した発光を実現できる。
【００１９】
発光管３０に設けた一対の口金３１は平面視で二重渦巻状の発光管３０の中心を中心として点対称の位置に配置してある。各口金３１と該口金３１の内側に位置する発光管３０の長さ方向の一部の間、及び発光管３０の長さ方向の一部と同部の内側に位置する発光管３０の長さ方向の一部の間には充填材３３を充填してあり、また一対の口金３１同士は平面ランプ６ａの一方の面側（上側）に配置したブリッジ３４により連結してあり、これら充填材３３及びブリッジ３４により二重渦巻状の平面ランプ６ａの変形が防止されている。また前記各口金３１と発光管３０の間及び発光管３０間に設けた充填材３３はブリッジ３４の平面ランプ６ａ側の面上（下面）に設けてあって平面視でブリッジ３４と重複しているため、充填材３３及びブリッジ３４によって発光管３０が塞がれる面積が小さく光のロスが少ない。
【００２０】
各口金３１の端面には平行な２本のランプピン３５を平面ランプ６ａの面（平面）と平行に突設してある。詳しくは、一方の口金３１に設けたランプピン３５の突出方向と他方の口金３１に設けたランプピン３５の突出方向は逆方向となっている。各口金３１の一対のランプピン３５は円形となった口金３１の端面の中央部から突出し、平面状に発光する平面ランプ６ａの面（平面）に対して直交する方向に並設されている。
【００２１】
ランプソケット２０は、吊架板部１９に対して固定されるソケット本体３６と、ソケット本体３６に形成した口金３１側に開口する円筒状の保持部３７の内側に回動可能に収納した断面略Ｃ字状の回動体３８が回動可能に収納されている。回動体３８の周方向の端部には保持部３７の前側の壁部に形成した切欠３９を介して突出する操作レバー４０を設けている。また回動体３８の内面には一対の接触子（図示せず）を固設している。
【００２２】
平面ランプ６ａは、図４のように、平面視でその中心を器具本体４の中心に位置させるように下方からランプ配設部２１に挿入位置させ、平面ランプ６ａの口金３１に設けたランプピン３５を平面ランプ６ａと同平面内に配置されたランプソケット２０に対して電気的・機械的に接続すると共に発光管３０又は口金３１をランプ支持ばね４１に支持させることで、ランプ吊持部材１７に取り付けられる。
【００２３】
詳しくは、各ランプソケット２０に平面ランプ６ａを接続するには、図５（ａ）のようにＣ字状の回動体３８を下方に向けて開口させた状態で、平面ランプ６ａを各口金３１の一対のランプピン３５を回動体３８内に挿入し（この場合、同時にランプ支持ばね４１で仮支持する）、その後、図５（ｂ）のように操作レバー４０を操作して各回動体３８を回動することで、各回動体３８に設けた一対の接触子で一対のランプピン３５が保持されると共に該一対の接触子と一対のランプピン３５とが電気的に接続される。これにより、平面ランプ６ａとランプソケット２０とは平面ランプ６ａの面（平面）内で接続されることとなる。なお、各ランプソケット２０と平面ランプ６ａの接続を解除するには、上記と逆の操作をする。
【００２４】
図１には照明器具１の天井材３への配設構造を示す。照明器具１を天井に取り付けるには、天井開口３ａの下方から天井裏２に向けて器具本体４に固定した基板１２の機器取付板部１４から挿入し、続けて、枢支脚１０ａを操作して枢支脚１０ａを器具本体４の周面部４ｃの外方に非突出状態にした上で器具本体４を天井開口３ａに挿入し、器具本体４のフランジ部８をパッキン４３（図６参照）を介して天井材３の下面に当接させると共に、枢支脚１０ａを操作して枢支脚１０ａを器具本体４の周面部４ｃの外方に突出状態にして天井材３の天井開口３ａの縁部の上面に載せるように当接させる。これにより、フランジ部８と枢支脚１０ａとで天井材３が上下に挟まれて天井材３に照明器具１が固定される（図２（ｂ））。
【００２５】
ここで、機器取付板部１４は本体天板部１３に枢支されているので、天井裏２の高さ代が低い場合にも照明器具１の取り付けを可能にしている。また、器具本体４の天面と側面との角部には外周側ほど低位置になる凹み部４ｄが形成されているが、これによっても天井裏２の高さ代が低い場合の照明器具１の取り付けを可能にしている。また、枢支脚１０ａは器具本体４に対して上下に移動可能にされており、枢支脚１０ａの器具本体４に対する上下位置を調節することで厚みの異なる天井材３にも照明器具１を取り付け可能にしてある。また、機器取付板部１４の接地脚１６は天井材３に載せるように接地されるので、機器取付板部１４に装着した機器１５の荷重を天井材３にて支持させることが可能にされ、照明器具１の天井材３への安定的な配設を可能にしている。
【００２６】
この後、叙述のようにランプ配設部２１にランプソケット２０を介して平面ランプ６ａを配設し、カバー体５の装着を行うことで、図１のように照明器具１が天井材３に配設されるのである。ここで、ランプ配設部２１は器具本体４の内部に位置されるようになっている。しかして、ランプ配設部２１に配設した平面ランプ６ａは器具本体４の内部に収容されるようになる。また、カバー取付部１１に取付用バネ材２４を係止させることでカバー体５は器具本体４に装着されるのであるが、カバー体５の反射板２８が平面ランプ６ａの外縁部分の直ぐ真下に位置するようになって、平面ランプ６ａでの発光を略漏らさずに下方に照射できるようにされている。
【００２７】
本例の照明器具１では上記のようにランプ６に平面内で発光管３０を渦巻き状に形成して成る平面ランプ６ａを用いている、したがって、器具本体４内のランプ配設部２１における平面面積内に密度高く発光管３０を位置させることができ、つまり、片口金ランプ６ｂを用いた際に発生するランプ配設部２１の空隙部位Ｋを略無くすることができたため、輝度ムラの発生も抑制できると共に、ランプ配設部２１を有効に利用して効率よく高い照度を得ることができる。更に本例ではカバー体５に備えた半乳白の透光パネル２２や反射板２８によって、輝度ムラの発生の更なる抑制も図られている。
【００２８】
また、本例の平面ランプ６ａは、最大径部に口金３１が位置するように外径が周方向で異なるように形成されている。詳しくは、平面ランプ６ａの外径は、口金３１が位置する最大径部から発光管３０の中心への巻回方向にいくにつれて徐々に小さくなるように形成されている。器具本体４は真円状の内周面を有するから、図１（ｂ）のように、平面ランプ６ａの口金３１が位置する最大径部は器具本体４の内周面に近接するのであり、平面ランプ６ａのその余の外径部位では器具本体４の内周面との間に比較的幅広い隙間幅を有した隙間Ｓが介在されるようになる。
【００２９】
ここで、ランプソケット２０は器具本体４の内周面における平面ランプ６ａの最大径部への近接域２６に沿うように配設されているのであり、ランプ配設部２１に平面ランプ６ａを配設する際には、上記近接域２６に配設されたランプソケット２０に対して平面ランプ６ａの最大径部に位置する口金３１が接続される。このように、平面ランプ６ａの口金３１やランプソケット２０は、平面ランプ６ａの面（平面）内にそれぞれ位置して接続されるのであるから、器具本体４の高さ寸法を抑制できる。
【００３０】
また、器具本体４の周面部４ｃには本体取付部１０やカバー取付部１１が設けられているのであるが、これらは平面視で器具本体４の内周面における上記ランプソケット２０から周方向にずらした部位にそれぞれ配設されている。つまり、本体取付部１０やカバー取付部１１は、平面ランプ６ａとの間に隙間Ｓが介在する器具本体４の内周面の部位（非近接域２７）に配設されている。上記のように本体取付部１０やカバー取付部１１は平面視で器具本体４の内周面におけるランプソケット２０から周方向にずらした部位に配設されるので、ランプソケット２０による妨げを受けずに操作可能な器具本体４内の空きスペース（隙間Ｓ）に対して配設することができる。つまり、本体取付部１０やカバー取付部１１は器具本体４内の平面面積を有効に利用するように器具本体４内に配設できるから、器具本体４の外径寸法も抑制できる。
【００３１】
上記のように本例の照明器具１は、器具本体４の高さ寸法や外径寸法の抑制をそれぞれ同時に図ることができたものであり、効果的にコンパクト化を図ることができるのである。
【００３２】
無論、このときには、ランプソケット２０と平面ランプ６ａとの接続作業も本体取付部１０やカバー取付部１１が邪魔とならずに支障なく行うことができる。更に、本体取付部１０やカバー取付部１１は、平面ランプ６ａとの間に隙間Ｓが介在する器具本体４の内周面の部位（非近接域２７）に配設されているから、上記比較的幅広い隙間幅の隙間Ｓを作業スペースとして利用でき、本体取付部１０及びカバー取付部１１への作業性が高められている、という利点も有している。本体取付部１０、カバー取付部１１も、平面視で重ならないように器具本体４の周方向にずらして器具本体４の周面部４ｃに配置してあり、本体取付部１０及びカバー取付部１１への各作業が下方から支障なく（互いの部材に邪魔されることなく）行うことが可能にされている。
【００３３】
図６には本発明の実施の形態の他例の照明器具１を示す。この例は基本的に先例の構造を踏襲しており、その一部の部品を変更している。以下では変更点を挙げて説明する。すなわち、本例では本体取付部１０を先例より１つ増やして３つ設けている。この本体取付部１０は、器具本体４及び天板セット７の荷重バランスを鑑み、器具本体４の周面部４ｃにおいてその周方向に略等間隔に配設しているが、これに限られることはない。また、先例の吊架板部１９が平面ランプ６ａの上方全てを覆うような円盤状板１９ａで構成されていたのに対して、本例の吊架板部１９は平面ランプ６ａのブリッジ３４の上方を覆うような矩形状板１９ｂと矩形状板１９ｂの下面に取り付ける化粧板１９ｃとで構成されている。矩形状板１９ｂの両端部にランプソケット２０が取り付けられ、略円盤状の化粧板１９ｃの両端にはランプソケット２０を挿通させる切欠１９ｃ１が形成されている。本例の照明器具１は先例と比べて上記変更点はあるものの微差であって、斜視図は図２（ａ）と略同様になると共に照明器具１を天井に配設した状態は図１と略同様になり、先例で述べた利点（照明器具１のコンパクト化等）を同様に備えているのは言うまでもない。
【００３４】
また、上記実施形態ではカバー体５として、透光パネル２２を有して器具本体４の下面を閉塞するタイプのものを例示したが、透光パネル２２を有さずに周枠２３のみで構成される化粧枠体状のものに代替することもできる。
【図面の簡単な説明】
【００３５】
【図１】本発明の実施の形態の照明器具を天井に配設した状態を示すものであり、（ａ）は側断面図であり、（ｂ）は（ａ）におけるカバー体を外した状態の下面図である。
【図２】（ａ）は同上の照明器具の斜視図であり、（ｂ）はカバー体を外した照明器具を天井に配設した状態の要部の側面図である。
【図３】同上の照明器具の分解斜視図である。
【図４】同上の平面ランプであり、（ａ）は側面図であり、（ｂ）は下面図である。
【図５】同上のランプソケットへの平面ランプの取り付けを説明する説明図であり、（ａ）はランプソケットへの平面ランプの取り付け直前の状態の斜視図であり、（ｂ）は平面ランプを取り付け可能にした状態のランプソケットの斜視図である。
【図６】本発明の実施の形態の他例における照明器具であって、（ａ）は斜め上方から見た分解斜視図であり、（ｂ）は斜め下方から見た分解斜視図である。
【図７】従来技術の例であり、（ａ）は側断面図であり、（ｂ）は下面図である。
【図８】従来技術の他例の平面ランプを下方から見た斜視図である。
【符号の説明】
【００３６】
１  照明器具
２  天井裏
３  天井材
３ａ  天井開口
４  器具本体
４ａ  下面開口
５  カバー体
６ａ  平面ランプ
１０  本体取付部
１１  カバー取付部
２０  ランプソケット
３０  発光管
３１  口金
【図１】
2008204738.tif 000003
【図２】
2008204738.tif 000004
【図３】
2008204738.tif 000005
【図４】
2008204738.tif 000006
【図５】
2008204738.tif 000007
【図６】
2008204738.tif 000008
【図７】
2008204738.tif 000009
【図８】
2008204738.tif 000010